(57)【特許請求の範囲】
【請求項１】
遊技球が流下する遊技領域が前面に形成される合成樹脂製の板状部材と、前記板状部材よりも耐熱性の高い合成樹脂製で、前記板状部材を支持する土台部材とから成る遊技盤を有するパチンコ機であって、
前記土台部材の前面に、前記板状部材を位置決めするためのボス部を所定方向へ複数設ける一方、前記板状部材に、前記ボス部を挿通可能なボス受け部を前記所定方向へ複数設け、
さらに、前記ボス部を設けた位置に応じて、挿通状態における前記ボス部と前記ボス受け部との近接度を異ならせたことを特徴とするパチンコ機。
【請求項２】
遊技盤面上に、遊技球発射装置によって発射された遊技球を遊技領域上部へ導くためのレール部材が設置され、レール部材の発射レール入口付近に基準ボス部を設けるとともに、当該基準ボス部を基準として所定方向へ複数のボス部を設け、前記基準ボス部を含むボス部とボス受け部との近接度が、前記基準ボス部から離れるに従い小さくなることを特徴とする請求項１に記載のパチンコ機。
【請求項３】
土台部材の前面に、板状部材を嵌め込み可能な凹状の嵌め込み部を設け、前記嵌め込み部内に、左右方向へボス部を複数設ける一方、
前記嵌め込み部の下辺部に、上方へ突出する複数の突起部を設け、前記嵌め込み部に嵌め込まれた前記板状部材を前記突起部の先端で支持可能としたことを特徴とする請求項１又は２に記載のパチンコ機。
【発明の詳細な説明】
【技術分野】
【０００１】
本発明は、板状部材のボス受け部と土台部材のボス部との嵌合によって位置決めされる遊技盤を有するパチンコ機に関するものである。
【背景技術】
【０００２】
近年、例えば特許文献１に開示されているように、遊技盤の少なくとも一部分が透明な合成樹脂で形成されたパチンコ機が考案されている。特許文献１に開示されている遊技盤は、前面に遊技領域が形成された板状部材の後面にスペーサを固着して構成されるものである。ここで、板状部材とスペーサとの固着に関しては、スペーサの前面に係止部を有するボス部を、板状部材にボス部が係止可能なボス受け部を夫々設け、ボス部のボス受けへの係止により板状部材とスペーサとを固着するといった構成を採用している。
【０００３】
しかるに、上記従来の遊技盤では、遊技球が衝突する等してかかる負荷により、スペーサに対して板状部材が位置ズレを起こすといった問題が起こり得る。
そこで、当該位置ズレを防止すべく、板状部材とスペーサとを強固に固着しようとするならば、ボス部とボス受け部とをより密着させる、すなわち近接度を高くする必要が生じる。
しかしながら、板状部材が温度上昇により熱膨張した場合、ボス部とボス受け部との近接度を高くしたことにより、板状部材の横方向への形状変化が妨げられ、結果として板状部材に反りを生じさせてしまう問題が生じてしまう。
【０００４】
【特許文献１】特開２００５−１５２５８０号公報
【発明の開示】
【発明が解決しようとする課題】
【０００５】
そこで、本発明は、上記問題を解決すべくなされたものであって、ボス部とボス受け部との近接度をボス部を設けた位置に応じて調整可能とすることにより、板状部材と土台部材との位置決めの役割を果たしつつ、板状部材の反りの問題を解消したパチンコ機を提供しようとするものである。  
【課題を解決するための手段】
【０００６】
かかる本発明のうち請求項１に記載された発明は、遊技球が流下する遊技領域が前面に形成される合成樹脂製の板状部材と、前記板状部材よりも耐熱性の高い合成樹脂製で、前記板状部材を支持する土台部材とから成る遊技盤を有するパチンコ機であって、前記土台部材の前面に、前記板状部材を位置決めするためのボス部を所定方向へ複数設ける一方、前記板状部材に、前記ボス部を挿通可能なボス受け部を前記所定方向へ複数設け、さらに、前記ボス部を設けた位置に応じて、挿通状態における前記ボス部と前記ボス受け部との近接度を異ならせたことを特徴とする。
尚、近接度とは、ボス部とボス受け部との間の所定方向における隙間の大小であり、隙間が大きくなるにつれて近接度は小さくなる。従って、例えば、左右方向に複数並べてボス部を設けた場合には、ボス部とボス受け部との左右方向への近接度が異なることとなる。
【０００７】
請求項２に記載された発明は、請求項１に記載された発明において、遊技盤面上に、遊技球発射装置によって発射された遊技球を遊技領域上部へ導くためのレール部材が設置され、レール部材の発射レール入口付近に基準ボス部を設けるとともに、当該基準ボス部を基準として所定方向へ複数のボス部を設け、前記基準ボス部を含むボス部とボス受け部との近接度が、前記基準ボス部から離れるに従い小さくなることを特徴とする。
【０００８】
請求項３に記載された発明は、請求項１又は２に記載された発明において、土台部材の前面に、板状部材を嵌め込み可能な凹状の嵌め込み部を設け、前記嵌め込み部内に、左右方向へボス部を複数設ける一方、前記嵌め込み部の下辺部に、上方へ突出する複数の突起部を設け、前記嵌め込み部に嵌め込まれた前記板状部材を前記突起部の先端で支持可能としたことを特徴とする。
【発明の効果】
【０００９】
請求項１に記載の発明によれば、土台部材に複数のボス部を設ける一方、板状部材上のボス部が接する位置に複数のボス受け部を設け、それらを嵌合させることで土台部材と板状部材との位置決めをしている。本発明に係るボス部は、それぞれの位置に応じて、ボス受け部との近接度が調整されている。それによって、遊技盤が無理に押さえつけられることなく、板状部材の反りを効果的に抑制することができる。
【００１０】
請求項２に記載の発明によれば、レール部材の近くに位置するボス部とボス受け部とが、その近接度が最も高くなるように調節されているので、レール部材が設けられている板状部材と土台部材との間にずれが生じず、遊技球の発射精度をより安定させることができる。
【００１１】
請求項３に記載の発明によれば、土台部材の前面に、板状部材を嵌め込み可能な凹状の嵌め込み部を設け、嵌め込み部内に、左右方向へボス部を複数設ける一方、嵌め込み部の下辺部に、上方へ突出する複数の突起部を設け、嵌め込み部に嵌め込まれた板状部材を突起部の先端で支持可能としているため、板状部材の下辺と土台部材の嵌め込み部の内周とが、面と面とで接しており、熱膨張によって遊技盤が横方向へ移動しようとする時に、大きな摩擦を生じてしまう従来の構成と比較して、板状部材と土台部材との間であまり摩擦が生じない。したがって、板状部材の熱膨張による右側への移動が妨げられることがなく、その結果板状部材に反りが生じにくい。
【発明を実施するための最良の形態】
【００１２】
以下、本発明のパチンコ機の一実施形態について、図面に基いて詳細に説明する。
【００１３】
（本体の説明）
図１におけるパチンコ機１は、パチンコ機１本体を支持する機枠２に、金属製のフレーム部材であるミドル枠（図示せず）を介して遊技盤１０を設置すると共に、該遊技盤１０の前方を閉塞可能な前扉３を片開き自在に取り付けてなるものである。そして、該前扉３により閉塞される遊技盤１０の前方空間（遊技盤１０の前面）を、遊技球が流下する略円形の遊技領域１１としている。
【００１４】
遊技領域１１は、円弧状に配設された外レール１２や内レール１３等により囲まれており、当該遊技領域１１へは、外レール１２と内レール１３との間に形成される発射通路を介して遊技球を打ち込み可能となっている。また、遊技領域１１の略中央には、「０」〜「９」の数字や絵柄等からなる「図柄」を表示する図柄表示領域２２や、遊技球を左右へ揺動させるステージ部材２０が設置されていると共に、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
また、遊技領域には、多数の遊技釘（図示せず）、遊技球が通過可能なゲート部材１４、一対の爪片を開閉動作可能に備えたチューリップ式電動役物１５、開閉可能な扉部材を有する大入賞装置１６、遊技球が入賞可能な入賞部材１７、１７・・、風車１８等が設置されている。
【００１５】
遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「図柄」を図柄表示領域２２内に表示させるための液晶表示装置（表示装置）、遊技に係る制御（例えば、所謂「大当たり抽選」や液晶表示装置における表示制御等）を行う制御装置等が設置されている。
【００１６】
以上のようなパチンコ機１では、遊技者によって発射ハンドル６が回動操作されると、発射装置が作動して遊技球が遊技領域１１内へ打ち込まれる。そして、遊技領域を流下する遊技球がチューリップ式電動役物１５へ入賞すると、制御装置にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１７】
次に本発明の要部となる遊技盤１０について、図２〜６をもとに説明する。
図２は、板状部材３１と土台部材３２とから成る遊技盤１０を前面側から示した説明図であり、図３は、板状部材３１を示した説明図であり、図４は、土台部材３２を示した説明図である。さらに、図５は、図２に示した遊技盤１０の下部を拡大し前面側から示した説明図であり、図６は、板状部材３１と土台部材３２とを連結するボス部６１〜６３と、それぞれのボス部に対応するボス受け部７１〜７３との挿通状態を拡大して示した説明図である。
【００１８】
遊技盤１０は、一枚板状に形成された板状部材３１と、該板状部材３１の後面側で、該板状部材３１全体を嵌め込んで固着される土台部材３２とからなる。
板状部材３１は、アクリル樹脂から成形された透明な略円形の板状体であって、その前面には、複数の障害釘が植設されている。また、板状部材３１は、板状部材３１の後面側で接する土台部材３２前面に設けられたボス部６１〜６３と対応する位置に、ボス部を挿通させるためのボス受け部７１〜７３が穿設されている。
【００１９】
土台部材３２は、板状部材３１よりも耐熱性の高い合成樹脂（例えば、ポリカーボネート）により成形され、正面から見た際に、左上隅部、右上隅部、左下隅部、及び右下隅部にそれぞれ対応する格子部材５１，５２，５３，及び５４を連結してなる。各格子部材５１〜５４は、厚さ略２ｍｍの底板部分から高さ略１２ｍｍのリブ片を突出させ、また上下方向及び左右方向に直交させた格子構造を備えている。
また、土台部材３２の前面側の内周縁には、板状部材３１と同形の凹状の嵌め込み部３３が、面上から約９ｍｍの深さで形成されている。さらに、土台部材３２の嵌め込み部３３内には、前面側から見て、ボス部６１〜６３が外レール１２近傍から右方向に向かって３箇所設置されている。
【００２０】
左上隅部の格子部材５１は、略円弧状の一辺を持つ略三角形状で、右上隅部の格子部材５２と接する右端部には、格子部材５２の凹部内へ嵌入可能な凸部を、左下隅部の格子部材５３と接する下端部には凹部をそれぞれ有している。
【００２１】
右上隅部の格子部材５２は、上記格子部材５１同様の略三角形状で、左上隅部の格子部材５１と接する左端部には凹部を、右下隅部の格子部材５４と接する下端部には、格子部材５４の凹部内へ嵌入可能な凸部をそれぞれ有している。また、該格子部材５２の上部右側縁は、遊技盤１０をミドル枠に設置するための切り欠きが形成されている。
【００２２】
左下隅部の格子部材５３は、上記格子部材５１同様の略三角形状で、左上隅部の格子部材５１と接する上端部には、格子部材５１の凹部内へ嵌入可能な凸部を、右下隅部の格子部材５４と接する右端部には、格子部材５４の凹部内へ嵌入可能な凸部をそれぞれ有している。
また、格子部材５３前面に形成された嵌め込み部３３の下辺部には、突起部８０，８０・・が一定間隔で設けられている。当該突起部８０，８０・・は、板状部材３１に接する先端部分が基端部分より幅狭且つ丸みを帯びて形成されており、板状部材３１を土台部材３２に嵌め込んだ際に、その突起部８０，８０・・の先端で板状部材３１を支持可能としている。
さらに、３つあるボス部のうち、左端のボス部６１は、格子部材５３の嵌め込み部３３内で外レール１２の発射入口近傍に設けられているとともに、中央のボス部６２が、ボス部６１から右方向へ所定の間隔をあけた位置に設けられている（図５）。各ボス部６１、６２は、円筒形の軸部からリブ片を上下左右へ突設してなるもので、ボス部の位置によって各リブ片の突出量を異ならせている。仮に、ボス部とボス受け部との関係において、ボス部の左右方向へ突設されたリブ片とボス受け部との隙間をＸとし、ボス部の上下方向へ突設されたリブ片とボス受け部との間の隙間をＹとした場合、左端のボス部６１にあっては、左右方向の隙間Ｘ１と上下方向の隙間Ｙ１が共に０．１５ｍｍとされている（図６（ａ））。また、中央のボス部６２にあっては、上下方向へ突設されたリブ片とボス受け部７２との間の隙間Ｙ２は、ボス部６１同様、０．１５ｍｍとされているものの、左右方向へ突設されたリブ片とボス受け部７２との間の隙間Ｘ２は０．５ｍｍとされている（図６（ｂ））。
【００２３】
右下隅部の格子部材５４は、上記格子部材５１同様の略三角形状で、右上隅部の格子部材５２と接する上端部には凹部を、左下隅部の格子部材５３と接する左端部には凹部をそれぞれ有している。また、該格子部材５４の下部右側縁は、遊技盤１０をミドル枠に設置するための切り欠きが形成されている。
さらに、３つあるボス部のうちの右端のボス部６３が、格子部材５４の嵌め込み部３３内に設けられている（図５）。当該ボス部６３は、上記ボス部６１、６２と略同様の形状に構成され、左右方向へ突設されたリブ片とボス受け部７３との間の隙間Ｘ３は０．７ｍｍとされている（図６（ｃ））。また、上下方向へ突設されたリブ片については、その先端の形状が台形に形成され、その先端角部とボス受け部７３との隙間Ｖが０．７ｍｍ以上となるように形成されている（図６（ｄ））。このように、各ボス部６１〜６３のリブ片の突出量を変化させることで、ボス受け部７１〜７３との近接度が、ボス部６１〜６３の設置位置が外レール１２から離れる毎に小さくなるように構成している。
加えて、格子部材５４の嵌め込み部３３の下辺部にも、格子部材５３同様に、半球状の突起部８０，８０・・が一定間隔で設けられている。
【００２４】
そして格子部材５１〜５４を、各凸部を対応する凹部に嵌入させ、ネジ止めして一体化することにより、リング状の土台部材３２が形成される。
尚、各格子部材５１〜５４の凸部および凹部には、両者を連結状態で固定するためのネジ（図示せず）を挿入可能なネジ孔が穿設されている。
【００２５】
以上のように構成される板状部材３１と土台部材３２とは、土台部材３２の前面に設けられた嵌め込み部３３の嵌め込みに加え、さらに、土台部材３２の前面に設けられた複数のボス部６１〜６３と、ボス受け部７１〜７３とを嵌合させることで、位置決めされている。さらに土台部材３２を、板状部材３１と、重なり部分でネジ止めすることで、遊技盤１０を形成することができる。
【００２６】
（実施例のパチンコ機の効果）
上述の如き本実施形態に係るパチンコ機１によれば、板状部材３１に穿設されたボス受け部７１〜７３と、土台部材３２に設けられたボス部６１〜６３との近接度を、それぞれが設置されている位置によって変更している。すなわち、ボス部の左右リブ片とボス受け部の内周との関係は、左端のボス部６１とボス受け部７１とは非常に密着しており、中央のボス部６２とボス受け部７２とは若干隙間があいており、右端のボス部６３とボス受け部７３とは隙間の余裕がかなり生じるようになっている。
したがって、本発明に係る板状部材３１は、仮に熱により膨張した際に、板状部材３１と土台部材３２が、前面左側のボス部６１とボス受け部７１とによって強固に嵌合されていた場合でも、従来の遊技盤の固着方法と比較して、前面右側のボス部６２，６３とボス受け部７２，７３との近接度が低いため、板状部材３１が膨張によって右側に移動することを妨げず、その結果、板状部材３１に反りが生じにくい。
【００２７】
また、上記実施例の遊技機においては、ボス部６１〜６３のうち、レール部材の発射入口近くに設けられたボス部６１とボス受け部７１との近接度が最も高くなるように調節されているため、発射入口付近の板状部材３１と土台部材３２との間にずれが生じず、遊技球を発射する際の精度が安定している。
【００２８】
さらに、上記実施例におけるボス部６１〜６３においては、柱状の軸部からのリブ片の左右方向への突出量を、ボス部６１が最も大きく、次いでボス部６２、ボス部６３が最も小さくなるように調節している。したがって、左右方向において、それぞれのボス部とボス受け部との近接度を異ならせることが可能となり、遊技盤の左右方向への反りを効果的に抑制することができる。さらに、ボス部６１〜６３は、全てのボス部においてボス受け部との近接度が高くなるように、リブ片の上下方向への突出量が調節されており、位置決めとしての機能を確保することも可能となっている。
【００２９】
またさらに、板状部材を土台部材に嵌め込むタイプの遊技盤の場合、従来の構成を採用するならば、遊技盤を直立状態で設置した際には、土台部材の凹部の内周と板状部材の外周とが全面で接地してしまい、遊技盤が横方向へ移動しようとする時に、大きな摩擦を生じてしまう。
しかしながら、本実施例中の遊技機１０では、板状部材３１は、その下辺において、土台部材３２の凹部の内周と、突起部８０、８０・・によって接している。従って、板状部材の下辺と、土台部材の凹部の内周が、面と面とで接している従来の場合と比較して、本実施例においては、熱膨張によって板状部材３１が右方向に動く場合、板状部材３１と土台部材３２との間であまり摩擦が生じず、板状部材３１の膨張による右側への移動が妨げられない為、その結果板状部材３１に反りが生じにくい。
【００３０】
（パチンコ機の変更例）
なお、本発明の遊技機の構成は、上記実施形態の態様に何ら限定されるものではなく、ボス部、ボス受け部、又は突起部の形状・構造等の構成を、本発明の趣旨を逸脱しない範囲で適宜変更することができる。
【００３１】
本実施例においては、遊技盤を構成する土台部材は、板状部材を嵌め込む凹部を設けた形態を採用しているが、それに限らず、板状部材の後面に固定するタイプならば板状部材と同形のものでも構わない。
【００３２】
たとえば本実施例において、ボス部６１〜６３は円筒形の軸部からリブ片が十字状に形成されたもの（図６（ａ）〜（ｃ））を採用しているが、軸部は円柱状もしくは角形でもかまわない。さらには、ボス部に楕円形の形状を採用することも可能である（図６（ｅ））。その場合、ボス受け部との上下の隙間Ｙ４が小さくなるように、楕円の長径が、ボス部の上下方向に位置するように設けられていることが必要である。
【００３３】
また、本実施例において、ボス部６１〜６３の素材には、土台部材３２と同じポリカーボネート樹脂を採用し一体成形しているが、耐熱性プラスチックを採用し別成形した後に固着することも可能である。さらに、エポキシ系樹脂、フェノール系樹脂、メラミン系樹脂、尿素系樹脂等のいずれかを用いてもよい。
【００３４】
さらに、ボス部６１〜６３とボス受け部７１〜７３との個数は、３個に限定されない。板状部材３１が膨張によって右側に移動することを妨げず、その結果、板状部材３１に反りが生じにくい効果を維持できるならば、さらに個数は増加してもかまわない。
【００３５】
そして、本実施例のように複数のボス部を略横方向に設けた場合、遊技盤の左端に位置したボス部（レール部材の発射入口付近）を基準のボス部（ボス受け部に挿通した状態で最も左右方向の近接度が高いボス部）としているが、他の実施例においてはこれに限定されず、基準のボス部を右端に位置させても、もしくは端側に位置していないボス部を基準としてもよい。また、基準のボス部と他のボス部との近接度の関係においては、他のボス部を、基準のボス部からの距離に反比例させて左右方向の近接度を小さくするのが望ましく、これによって板状部材が熱膨張・伸縮した際に生じる各ボス受け部間の左右方向の間隔の広がりに対応できる。
しかるに、基準となるボス部から離れているボス部に対向するボス受け部ほど、板状部材が熱膨張・収縮した際に、左右方向の位置ズレの影響を受け易いので、前述したように近接度を小さくしておくことで、板状部材の横方向への形状変化を妨げず、反りを生じさせるといった不具合を回避できる。
【００３６】
尚、本実施例では、略横方向に複数のボス部が設けられた場合についての、ボス部とボス受け部との近接度について記載しているが、上下方向に複数のボス部が設けられた場合についても応用可能である。略上下方向に複数のボス部が設けられた場合には、前述した略横方向の場合と同様に、基準のボス部からの距離に反比例させて、他のボス部の上下方向の近接度を小さくすることで、板状部材が熱膨張・収縮した際に生じる各ボス受け部間の上下方向への間隔の広がりに対応できる。上下方向の近接度を異ならせる方法としては、各ボス部の上下のリブ片の突出量を異ならせても良いし、図６（ｅ）のボス部を９０°回転させたボス部によって上下方向の近接度を異ならせても良い。
【００３７】
また、突起部８０、８０・・は、上記実施例の如く、突起部８０、８０・・を土台部材３２に一体的に成形したものに限定されず、別個に形成された突起部８０、８０・・を接着する方法等の、一体成形とは他の方法によって土台部材に突起部を設けたものでもよい。
さらに、突起部８０、８０・・の材質は、土台部材３２と同じ材質（合成樹脂等）である必要はなく、土台部材３２の材質と異ならせることも可能である。加えて、その様に突起部８０、８０・・の材質を土台部材３２と異ならせる場合には、突起部８０、８０・・の材質を、突起部と接する板状部材３２との間に摩擦が生じにくいような素材（すなわち、合成ゴムや天然ゴム等の摩擦係数が高い弾性材料を除く）とすることが好ましい。
かかる構成を採用することによって、板状部材３１は、横方向に膨張する際に、板状部材３１と突起部８０、８０・・との間に生じる摩擦によって、板状部材３１の横方向への動きが抑制されることなく、歪みが生じにくい。
【００３８】
さらに、突起部８０、８０・・は、上記実施形態の如く、突起部を等間隔で設けたものに限定されず、突起部同士の間隔や配置や、突起部の数を必要に応じて適宜変更することができる。加えて、突起部の形状は、上記実施形態の如く、半球状のものでもよいが、それに限定されず、四角形状のもの、もしくは三角形、あるいは円柱状のベース部の先端に半球状の当節部分を設けたＵ字形ものを用いることも可能で、必要に応じて適宜変更することができる。
【図面の簡単な説明】
【００３９】
【図１】パチンコ機の前面を示した説明図である。
【図２】板状部材と土台部材とからなる遊技盤の説明図である。
【図３】板状部材の説明図である。
【図４】土台部材の説明図である。
【図５】遊技盤下部の拡大図である。
【図６】挿通した状態のボス部とボス受け部とを拡大した説明図である。（ａ）ボス部６１とボス受け部７１、（ｂ）ボス部６２とボス受け部７２、（ｃ）ボス部６３とボス受け部７３、（ｄ）ボス部６３とボス受け部７３の上部拡大図、（ｅ）ボス部の変更例
【符号の説明】
【００４０】
１・・パチンコ機、１０・・遊技盤、１２・・外レール、１３・・内レール、３１・・板状部材、３２・・土台部材、６１、６２，６３・・ボス部、７１、７２，７３・・ボス受け部。
【図１】
0005110643.tif 000002
【図２】
0005110643.tif 000003
【図３】
0005110643.tif 000004
【図４】
0005110643.tif 000005
【図５】
0005110643.tif 000006
【図６】
0005110643.tif 000007